(57)【要約】      （修正有）【課題】腰を深く曲げることなく楽な姿勢で洗濯物を取出せる洗濯かごユニットを提供する。【解決手段】ストッパーを有する洗濯かごと、洗濯かごが挿入されると共にストッパーを係止するストッパー受けを有するかご用フレームとを備え、ストッパーが洗濯かごの外周面の下部に設けられており、ストッパー受けがかご用フレームの上部に設けられている。またストッパは、その先端部に上下に動く引っかけ部材を有している。洗濯かごにかご用フレーム内のストッパーを引っかけ部材を使って取り付けることによりストッパー受けの高さまで持ち上げて安定した状態で停止させることができる。また、非使用時はかご用フレーム内部に洗濯かごを収納することができる。【選択図】図４
0003188805.tif 000002
【実用新案登録請求の範囲】
【請求項１】
ストッパーを有する洗濯かごと、前記洗濯かごが挿入されると共に前記ストッパーを係止するストッパー受けを有するかご用フレームとを備え、
前記ストッパーが洗濯かごの外周面の下部に設けられており、前記ストッパー受けがかご用フレームの上部に設けられていることを特徴とする洗濯かごユニット。
【請求項２】
前記ストッパーは、洗濯かごの外周面から外側に突出し、外周面に沿って所定間隔で設けられた複数の突出部材からなり、
前記ストッパー受けは、前記複数の突出部材にそれぞれ対応して所定間隔で設けられた複数の受け部からなることを特徴とする請求項１記載の洗濯かごユニット。
【請求項３】
前記ストッパーは、洗濯かごの外周側面に沿って所定間隔で複数立ち上がりその先端部に上下に動く複数の引っ掛け部材を有し
前記複数の引っ掛け部材の働きによって、前記ストッパーを洗濯かごに着脱することを可能とする前記複数の引っ掛け部材を有することを特徴とする請求項１の洗濯かごユニット。
【考案の詳細な説明】
【技術分野】
【０００１】
この考案は洗濯かごの構造に関する。
【背景技術】
【０００２】
従来洗濯物を干す際、洗濯物を入れた洗濯かごを床または地面に置いて足元近くの低い位置にあるにある洗濯かごから、腰を深く曲げて洗濯物を取り出しては高い位置にある物干し竿等に干すという腰などに大きな負荷の掛かる作業を繰り返していた。
【先行技術文献】
【特許文献】
【０００３】
【特許文献１】特開２０１１−２４５２４２号公報
【考案の概要】
【考案が解決しようとする課題】
【０００４】
従来洗濯物を干す時、床や地面等の低い位置に置いた洗濯かごから洗濯物を取出し高い位置にある物干し竿等に干さなければならず、腰を深く曲げては伸ばすという動作を何度も繰り返すことになり、腰に大きな負担がかかった。そこでこの考案は、腰を深く曲げずに楽な姿勢で洗濯物を取り出すことができることを課題とする。
【課題を解決するための手段】
【０００５】
本考案は、洗濯かごにかご用フレームを組み合わせ、かご用フレームの上部に洗濯かごを載せることにより洗濯物を楽な姿勢で取り出せる高さを得ようとするものである。かご用フレームは洗濯かごを高い位置で停止させる為のストッパーを内部に保有し、またそのストッパーを高い位置で受け支えるストッパー受けをかご用フレーム自体に設け、このかご用フレームと洗濯かごを組み合わせる。ストッパーはかご用フレームの脚柱に沿って移動できる物である。かご用フレーム内にあるストッパーを洗濯かごに取り付けることにより、洗濯かごはストッパーを得てかご用フレーム内を脚柱に沿って移動し、ストッパーの突出部を高い位置にあるストッパー受けに載せることで洗濯かごは高い位置で停止することができる。この事により上記課題を解決するものとし、次のような構成を有する。
請求項１に記載の考案は、洗濯物を洗濯かごから腰を深く曲げずに楽な姿勢で取り出せる高さにする為に、かご用フレームの内部に収納した洗濯かごをかご用フレームの上部に載せるものとしたものである。  
請求項２に記載の考案は、かご用フレームは内部に脚柱に沿って上下左右に移動可能なストッパーを保有し、さらにこのストッパーを受け支える為のストッパー受けを備えており、ストッパーを洗濯かごに取り付けることによって洗濯かごはストッパーと一体化し脚柱に沿って移動し、脚柱の最上部で横にスライドしてストッパー受けに載りストッパー受けの高さで停止することができるものである。
請求項３に記載の考案は、かご用フレーム内部のストッパーと組み合わされた洗濯かごの外周側面にストッパーの引っ掛け部を固定することにより、洗濯かごとストッパーは一体化することができるものである。
【考案の効果】
【０００６】
請求項１の考案により、ストッパーを有する洗濯かごはかご用フレームの上部に備えられたストッパー受けの高さまで上昇しその高さを保持することができ、また持ち運ぶ際などは、かご用フレームの内部に洗濯かごを収納することができる。
請求項２の考案により、かご用フレームはその内部に、脚柱に沿って上下左右に移動できるストッパーを有し、またそのストッパーに設けられた突出部材に各々対応してストッパーを受け支えることができるストッパー受けを備えており、ストッパーを取り付けた洗濯かごをストッパー受けまで持ち上げて、突出部をストッパー受けに載せることにより、洗濯かごを高い位置で受け支えることができる。
請求項３の考案により、かご用フレーム内部のストッパーはその引っ掛け部の働きで洗濯かごに取り付けられ、洗濯かごとストッパーは一体化し一緒にかご用フレームの脚柱に沿って移動し最高部で横にスライドすることによって、その突出部をストッパー受けに載せストッパー受けの高さで停止することができる。またストッパーの引っ掛け部を洗濯かごから外すことで洗濯かごからストッパーを外し、洗濯かごをフレーム内から取り出すことも可能である。
【図面の簡単な説明】
【０００７】
【図１】実施例１の実施形態に係る円形の洗濯かごの斜視図である。
【図２】実施例１の実施形態に係るストッパーおよびストッパー受けを有するかご用フレームの斜視図である。
【図３】実施例１の実施形態に係るストッパー部の斜視図である。
【図４】実施例１の実施形態に係るかご用フレームのストッパー受けに洗濯かごに固定したストッパーを載せた状態の斜視図である。
【図５】実施例１の実施形態に係るかご用フレームの内部に洗濯かごを収めた状態の斜視図である。
【図６】実施例２の実施形態に係る箱型の洗濯かごの斜視図である。
【図７】実施例２の実施形態に係るストッパーおよびストッパー受けを有するかご用フレームの斜視図である。
【図８】実施例２の実施形態に係るストッパー部の斜視図である。
【図９】実施例２の実施形態に係るかご用フレームのストッパー受けに洗濯かごに固定したストッパーを載せた状態の斜視図である。
【図１０】実施例２の実施形態に係るかご用フレームの内部に洗濯かごを収めた状態の斜視図である。
【考案を実施するための形態】
【０００８】
かご用フレーム２１、６１の枠は、洗濯かご１１、５１をその内部に収め、かつその内部より容易に引き上げることができるように、洗濯かご１１、５１より少し大きなものとする。
【０００９】
かご用フレーム２１、６１上部の枠とフレーム底部２５、６５は脚柱２４、６４で連結し、内部にストッパー３１、７１を組み込みさらにストッパーの突出部３３、７３を受け支える為のストッパー受け２２、６２を脚柱２４、６４の間に取り付ける。
【００１０】
ストッパー３１、７１は脚柱２４、６４とストッパー受け２２、６２の間を上下左右に移動可能なものとする。
【００１１】
かご用フレーム２１、６１内のストッパー３１、７１に洗濯かご１１、５１を組み合わせ、ストッパーの引っ掛け部３２、７２を洗濯かご１１、５１の外周側面に引っ掛けて留め、ストッパー３１、７１を洗濯かご１１、５１に固定する。
【００１２】
ストッパー受け２２、６２は重い洗濯物の入った洗濯かご１１、５１の荷重を受け支えることができる物であり、かつストッパー３１、７１がストッパー受け２２、６２よりずれ落ちることを防止するかごずれ落ち防止部２６、６６を持たせる。
【実施例１】
【００１３】
以下図１から図５に本考案の実施例１を示す。実施例１の洗濯かごユニットは、円形の洗濯かご１１を使用した実施形態である。かご用フレーム２１内のストッパー３１を洗濯かご１１に組み合わせ、ストッパーの引っ掛け部３２を作動させてストッパー３１を洗濯かご１１に固定し、かご用フレーム２１と洗濯かご１１を組み合わせる。（図４)
【００１４】
ストッパー３１を固定した洗濯かご１１を高い位置で使用する場合は、かご持ち手１２を使い、かご用フレーム２１内部より脚柱２４に沿って洗濯かご１１を持ち上げ、最上部で横にスライドさせてストッパーの突出部３３をかご用フレームのストッパー受け２２に載せて高さを保持する。（図４）
【００１５】
高い位置にある洗濯かご１１をかご用フレーム２１内部に収納する場合は、ストッパーの突出部３３をストッパー受け２２より外して横に反対にスライドさせ、脚柱２４に沿ってフレーム底部２５まで下ろし、持ち運ぶ時はフレーム持ち手２３を持って移動させる。（図５）
【実施例２】
【００１６】
以下図６から図１０に本考案の実施例２を示す。実施例２の洗濯かごユニットは、箱型の洗濯かご５１を使用した実施形態である。かご用フレーム６１内のストッパー７１を洗濯かご５１に組み合わせ、ストッパーの引っ掛け部７２を作動させてストッパー７１を洗濯かご５１に固定し、かご用フレーム６１と洗濯かご５１を組み合わせる。ただし箱型洗濯かごユニットに於いては、持ち上げられた洗濯かご５１が横にスライドする進行方向のサイドフレーム６７の高さは、スライドしてきた洗濯かご５１がスムーズにその上に載れる高さとする。（図９）
【００１７】
ストッパー７１を固定した洗濯かご５１を高い位置で使用する場合は、かご持ち手５２を使いかご用フレーム６１内部より脚柱６４に沿って洗濯かご５１を持ち上げ最上部で横にスライドさせてストッパーの突出部７３をかご用フレームのストッパー受け６２に載せて安定した状態で高さを保持する。この場合洗濯かご５１は横にスライドするので、サイドフレーム６７の外側に最大でスライドした分まで出ることもある。（図９）
【００１８】
高い位置にある洗濯かご５１をかご用フレーム６１内部に収納する場合は、ストッパーの突出部７３をストッパー受け６２より外して横に反対にスライドさせ、脚柱６４に沿ってフレーム底部６５まで下ろし、持ち運ぶ時はフレーム持ち手６３を持って移動させる。（図１０）        
【符号の説明】
【００１９】
１１    洗濯かご
１２    かご持ち手
２１    かご用フレーム
２２    ストッパー受け
２３    フレーム持ち手
２４    脚柱
２５    フレーム底部
２６    かごずれ落ち防止部
３１    ストッパー
３２    引っ掛け部
３３    突出部
５１    洗濯かご
５２    かご持ち手
６１    かご用フレーム
６２    ストッパー受け
６３    フレーム持ち手
６４    脚柱
６５    フレーム底部
６６    かごずれ落ち防止部    
６７    サイドフレーム
７１    ストッパー
７２    引っ掛け部
７３    突出部
【図１】
0003188805.tif 000003
【図２】
0003188805.tif 000004
【図３】
0003188805.tif 000005
【図４】
0003188805.tif 000006
【図５】
0003188805.tif 000007
【図６】
0003188805.tif 000008
【図７】
0003188805.tif 000009
【図８】
0003188805.tif 000010
【図９】
0003188805.tif 000011
【図１０】
0003188805.tif 000012